【事件の表示】
　特願２０１７−５０３６８８「基地局、プロセッサ、通信方法、ユーザ端末」拒絶査定不服審判事件〔平成２８年　９月　９日国際公開、ＷＯ２０１６／１４０２７１〕について、次のとおり審決する。
【結　論】
　本件審判の請求は、成り立たない。
【理　由】
第１　手続の経緯
　本願は、２０１６年（平成２８年）３月２日（国内優先権主張　２０１５年３月３日）を国際出願日とする出願であって、その手続の経緯は以下のとおりである。
平成２９年９月１日　　　　　手続補正書の提出
平成２９年１１月２８日付け　拒絶理由通知書
平成３０年２月５日　　　　　意見書、手続補正書の提出
平成３０年４月１８日付け　　拒絶査定
平成３０年７月２４日　　　　拒絶査定不服審判の請求
第２　本願発明
　本願の請求項１〜５に係る発明は、平成３０月２月５日にされた手続補正により補正された特許請求の範囲の請求項１〜５に記載された事項により特定されるところ、その請求項２に係る発明（以下、「本願発明」という。）は、以下のとおりのものと認める。
「システムフレーム番号（ＳＦＮ）が最大値に達した後に最初の値に戻った時に１をインクリメントする拡張システムフレーム番号を特定するための情報を含むシステム情報ブロック（ＳＩＢ）をユーザ端末にブロードキャストする処理を実行する制御部を備え、
　前記情報により特定される前記拡張システムフレーム番号は、前記システム情報ブロックを受信したユーザ端末が、アイドル状態において、拡張ＤＲＸ（ｅＤＲＸ）によりページングを監視するタイミングを含むページングフレームを決定するために用いられ、
　前記情報は、前記システム情報ブロックを受信した前記ユーザ端末において、前記システムフレーム番号が前記最大値に達した後に前記最初の値に戻った時に１増加することを特徴とする基地局。」
第３　原査定の拒絶の理由
　原査定の拒絶の理由は、「１．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。」、「２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」というものであり、請求項１〜５に対してInterDigital Communications，Supporting Extended DRX in RRC_IDLE mode，3GPP TSG-RAN WG2♯83 R2-132436，２０１３年　８月１０日が引用されている。
第４　引用発明
　原査定の拒絶理由に引用されたInterDigital Communications，Supporting Extended DRX in RRC_IDLE mode（［当審仮訳］：ＲＲＣ＿ＩＤＬＥ状態における拡張ＤＲＸのサポート），3GPP TSG-RAN WG2♯83 R2-132436，２０１３年８月１０日アップロード，インターネット＜URL:http://www.3gpp.org/ftp/tsg_ran/WG2_RL2/TSGR2_83/Docs/R2-132436.zip＞（以下、「引用例」という。）には、図面とともに以下の事項が記載されている。（下線は当審が付与。）
（１）「In this document we will discuss 
how to support such extended DRX cycle for IDLE mode MTC devices
（［当審仮訳］：
　この文書では、
アイドル状態のＭＴＣデバイスに対して、このような拡張ＤＲＸサイクルをサポートする方法
（２）「Currently the maximum paging cycle, i.e. DRX cycle, is 2.56 seconds. 
The System Frame Number (SFN) right now is setting value cycle from 0〜1023
From the UE perspective, 
any given UE is only required to monitor one PO per paging cycle
（［当審仮訳］：
　現在、最大ページングサイクル、すなわちＤＲＸサイクルは２．５６秒である。
現在のシステムフレーム番号（ＳＦＮ）は、０〜１０２３の値に設定されている
ＵＥの観点からは、
所与のＵＥはページングサイクル毎に１つのＰＯを監視することだけが必要とされ
（３）「
There are two proposed ways to implement extended DRX
1.  Option 1 Extend SFN cycle length by introducing extra SFN bits [7]:
2.  
Option 2 Introduce a SFN cycle index
（［当審仮訳］：
　
拡張ＤＲＸを実装する方法は２つ提案されている
１．オプション１　追加のＳＦＮビットを導入してＳＦＮサイクル長を延長する[7]。
２．
オプション２　ＳＦＮサイクルインデックスを導入する
（４）「
In Option 2, each SFN cycle is still maintained at 1024 frames and a new SFN cycle index is introduced, such that a UE paging cycle can span multiple SFN cycles
Figure 1 illustrates the concept of SFN cycle index.
Figure 1 SFN Cycle Index Illustration」（３葉１〜５行）
（［当審仮訳］：
　
オプション２では、各ＳＦＮサイクルを１０２４フレームに維持しつつ新たなＳＦＮサイクルインデックスを導入し、その結果、ＵＥページングサイクルは複数のＳＦＮサイクルにまたがることができる
図１は、ＳＦＮサイクルインデックスの概念を示している。
（図省略）
図１：ＳＦＮサイクルインデックスの説明）
（５）「In this option, the existing formula can remain unaffected, and
 in order to support the determination of the exact PF/PO for paging monitoring, the UE needs to be provided with the SFN cycle index which indicates the current SFN cycle in one extended long DRX.  The SFN cycle index can be broadcast, either in the MIB or SIB 
For paging cycle calculations, 
the MTC UE first needs to calculate the Paging SFN cycle index, and use legacy calculation to obtain the Paging Frame and Paging Occasion within that SFN cycle.
（［当審仮訳］：
　このオプションでは、既存の式は影響を受けずに残すことができる。そして、
ページング監視のための正確なＰＦ ／ ＰＯの決定をサポートするために、ＵＥは、１つの長い拡張ＤＲＸにおける現在のＳＦＮサイクルを示すＳＦＮサイクルインデックスを提供される必要がある。ＳＦＮサイクルインデックスは、ＭＩＢ又はＳＩＢのいずれかでブロードキャストすることができ、
　ページングサイクルの計算のために、
ＭＴＣ ＵＥは、最初にページングＳＦＮサイクルインデックスを計算し、従来の計算式を使用して、ＳＦＮサイクル内のページングフレーム及びページングオケージョンを取得する
　上記（１）〜（５）の記載及び図面並びに当業者の技術常識を考慮し、以下のことがいえる。
ア　上記（２）の記載及び図１の記載から、システムフレーム番号（ＳＦＮ）の最大値は１０２３であり、最初の値は０であるといえる。そして、上記（４）及び図１の記載から、ＳＦＮサイクルインデックスは、システムフレーム番号（ＳＦＮ）が１０２３に達した後に０に戻った時に１をインクリメントするものであることが見てとれる。したがって、ＳＦＮサイクルインデックスは、システムフレーム番号（ＳＦＮ）が最大値に達した後に最初の値に戻った時に１をインクリメントするものであるといえる。
　また、上記（３）、（５）の記載から、ＳＦＮサイクルインデックスは、拡張ＤＲＸにおけるＳＦＮサイクルを示すものである。そして、上記（４）及び図１の記載から、ＳＦＮサイクルインデックスを用いて、拡張ＤＲＸにおける１０２３を超えるシステムフレーム番号を特定可能であることが見てとれる。
　さらに、基地局がＳＩＢをＵＥにブロードキャストすることは技術常識であることを考慮すると、上記（５）の記載から、基地局がＳＦＮサイクルインデックスを含むＳＩＢをＵＥにブロードキャストする処理を実行し、ＵＥがＳＩＢを受信することは明らかである。
イ　上記（１）、（２）、（５）及び図１の記載から、ＳＦＮサイクルインデックスにより特定される拡張ＤＲＸにおける１０２３を超えるシステムフレーム番号は、ＳＩＢを受信したＵＥが、アイドル状態において、拡張ＤＲＸによりページングを監視するページングオケージョンを含むページングフレームの決定を行うために用いられるものであるといえる。
　してみれば、引用例には以下の発明（以下「引用発明」という。）が記載されているといえる。
「システムフレーム番号（ＳＦＮ）が最大値に達した後に最初の値に戻った時に１をインクリメントする拡張ＤＲＸにおける１０２３を超えるシステムフレーム番号を特定するためのＳＦＮサイクルインデックスを含むＳＩＢをＵＥにブロードキャストする処理を実行し、
ＳＦＮサイクルインデックスにより特定される拡張ＤＲＸにおける１０２３を超えるシステムフレーム番号は、ＳＩＢを受信したＵＥが、アイドル状態において、拡張ＤＲＸによりページングを監視するページングオケージョンを含むページングフレームの決定を行うために用いられる、基地局。」
第５　対比・判断
　本願発明と引用発明とを比較すると、
ア　引用発明の「拡張ＤＲＸにおける１０２３を超えるシステムフレーム番号」は、従来のシステムフレーム番号の最大値である１０２３を超える値であり、そのようなシステムフレーム番号を「拡張システムフレーム番号」と称することは任意である。
　そして、「ＳＦＮサイクルインデックス」は、システムフレーム番号（ＳＦＮ）が最大値に達した後に最初の値に戻った時に１をインクリメントするものであり、拡張ＤＲＸにおける１０２３を超えるシステムフレーム番号を特定するためのものであるから、本願発明の「システムフレーム番号（ＳＦＮ）が最大値に達した後に最初の値に戻った時に１をインクリメントする拡張システムフレーム番号を特定するための情報」に相当する。
イ　引用発明の「ＳＩＢ」、「ＵＥ」は、それぞれ本願発明の「システム情報ブロック（ＳＩＢ）」、「ユーザ端末」に相当する。
ウ　引用発明は、ＵＥがページングサイクル毎に１つのページングオケージョンを監視するものであるから、引用発明の「ページングを監視するページングオケージョン」と本願発明の「ページングを監視するタイミング」とでは、表現上の差異があるにすぎない。
　したがって、本願発明と引用発明は、以下の点で一致し、また、相違している。
（一致点）
「システムフレーム番号（ＳＦＮ）が最大値に達した後に最初の値に戻った時に１をインクリメントする拡張システムフレーム番号を特定するための情報を含むシステム情報ブロック（ＳＩＢ）をユーザ端末にブロードキャストする処理を実行し、
　前記情報により特定される前記拡張システムフレーム番号は、前記システム情報ブロックを受信したユーザ端末が、アイドル状態において、拡張ＤＲＸ（ｅＤＲＸ）によりページングを監視するタイミングを含むページングフレームを決定するために用いられる、基地局。」
（相違点１）
　本願発明が「システム情報ブロック（ＳＩＢ）をユーザ端末にブロードキャストする処理を実行する制御部」を有するのに対して、引用発明は「ＳＩＢをＵＥにブロードキャストする処理を実行」するものの、制御部を備えることは明らかにされていない点。
（相違点２）
　本願発明は、「前記情報は、前記システム情報ブロックを受信した前記ユーザ端末において、前記システムフレーム番号が前記最大値に達した後に前記最初の値に戻った時に１増加する」との発明特定事項を含むのに対し、引用発明には当該発明特定事項を有しない点。
　以下、各相違点について検討する。
（相違点１について）
　基地局が通信制御を行う制御部を備えることは自明であるから、引用発明に記載された基地局が、ＳＩＢをＵＥにブロードキャストする処理を実行する制御部を備えることは明らかである。
　したがって、相違点１は実質的な相違点ではない。
（相違点２について）
　本願発明は、「基地局」の発明であるところ、本願発明の「前記情報は、前記システム情報ブロックを受信した前記ユーザ端末において、前記システムフレーム番号が前記最大値に達した後に前記最初の値に戻った時に１増加する」との発明特定事項は、ユーザ端末における情報の状態を特定する一方で、基地局の動作を何ら特定していないから、上記発明特定事項は、基地局を特定するための意味を有しないものである。そうしてみると、相違点２は、基地局の発明である本願発明の構成に係る相違点とはいえないから、実質的な相違点ではない。
　仮に、上記相違点２が本願発明の構成に係る相違点であると仮定しても、引用例の「For paging cycle calculations, 
the MTC UE first needs to calculate the Paging SFN cycle index
ＭＴＣ ＵＥは、最初にページングＳＦＮサイクルインデックスを計算し
the UE and NB each keeps an internal counter which is incremented whenever the SFN is incremented and does not wraps around when SFN reset to 0
ＵＥ及びＮＢは、ＳＦＮがインクリメントされるたびにインクリメントされ、ＳＦＮが０にリセットされたときにラップアラウンドしない内部カウンタをそれぞれ保持する
第６　むすび
　以上のとおり、本願発明は引用発明であり、また、本願発明は引用発明に基づいて当業者が容易に発明をすることができたものであるから、特許法第２９条第１項第３号、同第２９条第２項の規定により、特許を受けることができない。
　よって、結論のとおり審決する。